(57)【要約】【課題】本発明は、異なる大きさの２種類のＩＣカードを装着して、情報機器側の基板の実装面積を小さくすることができるカード用コネクタ装置を提供すること。【解決手段】本発明のカード用コネクタ装置のハウジング２は、表面側を凹ませて形成した第１カード１２を装着可能な第１底面３ａを有する第１装着部３と、第１底面３ａの一部を凹ませて形成した第２カード１３を装着可能な第２底面７ａを有する第２装着部７とを上下２段に設け、第１装着部３の形成領域において、第２装着部７を形成した領域以外の裏面側を第１底面３ａ側に凹ませて凹部９を形成したので、本発明のカード用コネクタ装置を取り付けた情報機器のプリント基板（図示せず）の凹部９が位置する部分に表面実装部品を実装することができる。【選択図】　　　　図３
2004031278.tif 000002
【特許請求の範囲】
【請求項１】
表面積の大きい第１カードと、この第１カードより表面積の小さい第２カードと、前記第１、第２カードを装着可能なハウジングとを備え、このハウジングは、表面側を凹ませて形成した前記第１カードを装着可能な第１装着部と、前記第１装着部の底面の一部を凹ませて形成した前記第２カードを装着可能な第２装着部とを設け、前記第１装着部には、前記第１カードの接触部と接触可能な複数の第１端子部材を並設し、前記第２装着部には、前記第２カードの接触部と接触可能な複数の第２端子部材を並設したことを特徴とするカード用コネクタ装置。
【請求項２】
前記ハウジングは、前記第１装着部の形成領域において、前記第２装着部を形成した領域以外の裏面側を凹ませて凹部を形成したことを特徴とする請求項１記載のカード用コネクタ装置。
【請求項３】
前記第１装着部は、前記第１カードの挿入方向と平行形成した互いに対向する左右の側壁を有し、前記第２装着部は、前記左右の側壁のいずれか一方側に偏らせて形成したことを特徴とする請求項１、または２記載のカード用コネクタ装置。
【請求項４】
前記第２カードは、前記第２装着部に挿入される前端部側を左右非対称形状に形成し、前記第２装着部は、前記前端部が当接する奥縁部を、前記第２カードの前記前端部の形状に対応して非対称形状に形成したことを特徴とする請求項１乃至３のいずれか１項記載のカード用コネクタ装置。
【請求項５】
前記第２カードは、前記前端部のいずれか一方の角部を斜めに切り欠いたことを特徴とする請求項４記載のカード用コネクタ装置。
【請求項６】
前記第２装着部は、装着される前記第２カードを案内するためのガイド部を形成したことを特徴とする請求項１乃至５のいずれか１項記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるカード等に書き込み、または読み出し可能なカード用コネクタ装置に関する。
【０００２】
【従来の技術】
パーソナルコンピュータ（以後ＰＣと称する）等の情報機器の増設記録装置として、内部にＩＣ（集積回路）を埋設したＩＣカードに、種々の情報の書き込み、あるいは読み出しを行うためにカード用コネクタ装置が一般的に用いられている。　このような従来のカード用コネクタ装置に用いられているＩＣカードは、表面積の大きさが異なる複数種類がある。
そして、異なる大きさの複数種類のＩＣカードを使う場合は、ＩＣカードの種類に対応して、それぞれ専用のカード用コネクタ装置を複数台用意して、情報機器側の基板に実装して取り付けていた。
【０００３】
【発明が解決しようとする課題】
上述したような従来のカード用コネクタ装置は、ＩＣカードの種類に対応して、専用のものを情報機器側の基板に実装していたので、情報機器側の基板の実装面積が大きくなり、情報機器が大型化する問題があった
本発明は前述したような問題点に鑑みてなされたもので、異なる大きさの２種類のＩＣカードを装着して、情報機器側の基板の実装面積を小さくすることができるカード用コネクタ装置を提供することを目的とする。
【０００４】
【課題を解決するための手段】
上記課題を解決するための第１の解決手段として本発明のカード用コネクタ装置は、表面積の大きい第１カードと、この第１カードより表面積の小さい第２カードと、前記第１、第２カードを装着可能なハウジングとを備え、このハウジングは、表面側を凹ませて形成した前記第１カードを装着可能な第１装着部と、前記第１装着部の底面の一部を凹ませて形成した前記第２カードを装着可能な第２装着部とを設け、前記第１装着部には、前記第１カードの接触部と接触可能な複数の第１端子部材を並設し、前記第２装着部には、前記第２カードの接触部と接触可能な複数の第２端子部材を並設したことを特徴とする。
【０００５】
また、上記課題を解決するための第２の解決手段として、前記ハウジングは、前記第１装着部の形成領域において、前記第２装着部を形成した領域以外の裏面側を凹ませて凹部を形成したことを特徴とする。
【０００６】
また、上記課題を解決するための第３の解決手段として、前記第１装着部は、前記第１カードの挿入方向と平行形成した互いに対向する左右の側壁を有し、前記第２装着部は、前記左右の側壁のいずれか一方側に偏らせて形成したことを特徴とする。
【０００７】
また、上記課題を解決するための第４の解決手段として、前記第２カードは、前記第２装着部に挿入される前端部側を左右非対称形状に形成し、前記第２装着部は、前記前端部が当接する奥縁部を、前記第２カードの前記前端部の形状に対応して非対称形状に形成したことを特徴とする。
【０００８】
また、上記課題を解決するための第５の解決手段として、前記第２カードは、前記前端部のいずれか一方の角部を斜めに切り欠いたことを特徴とする。
【０００９】
また、上記課題を解決するための第６の解決手段として、前記第２装着部は、装着される前記第２カードを案内するためのガイド部を形成したことを特徴とする。
【００１０】
【発明の実施の形態】
以下、本発明の実施の形態のカード用コネクタ装置を図１〜図６に基づいて説明する。図１は本発明のカード用コネクタ装置の斜視図であり、図２は図１からカバーを取り外した斜視図であり、図３は図１の正面図であり、図４は図１の４−４断面図であり、図５は本発明に係わる第１カードの平面図と側面図であり、図６は本発明に係わる第２カードの平面図と側面図である。
【００１１】
まず、本発明の１実施の形態のカード用コネクタ装置１は、図２に示すように、樹脂材料等の絶縁材で形成されて、外形が略矩形状のハウジング２が配設されている。このハウジング２は、内部が上部と下部の２段に別れており、上部側に後述する表面積の大きい第１カード１２を挿入して装着可能な第１装着部３が形成され、この第１装着部３の下部側に後述する面積の小さい第２カード１３を装着可能な後述する第２装着部７が形成されて上下２段になっている。
【００１２】
前記ハウジング２は、図２に示すように、後方側に形成した後端壁２ａと、この後端壁２ａと直交する方向に形成した互いに対向する左側壁２ｂと右側壁２ｃとに囲まれ部分に第１装着部３が形成されている。
即ち、第１装着部３は、ハウジング２の表面側を所定量凹ませて形成されて前方側が開放されており、この前方側の開放部分から後述する第１カード１２が挿入されて装着可能になっている。
【００１３】
また、第１装着３は、平坦状の第１底面３ａが形成され、この第１底面３ａの前方側で右側壁２ｃ近傍の第１底面３ａからは、板状のガイド壁２ｄが、左右の側壁２ｂ、２ｃと同じ高さで突出形成されて、第１装着部３に挿入される第１カード１２を案内するためのガイドとなっている。
また、後端壁２ａには複数の第１端子部材４の一部が埋設形成され、この第１端子部材４の一端部側が、第１装着部３の内方に向けて自由端状に延出形成されている。そして、自由端状の先端部が上方側に湾曲形成されて接点部４ａが形成されている。この接点部４ａは、先端部が第１底面３ａに当接しており、接点部４ａに押圧荷重が加わると、接点部４ａが弾性変形可能となっている。
また、第１端子部材４は、他端部側が後端壁２ａから外方に延出されて、情報機器側のプリント基板（図示せず）に実装するための端子部４ｂが形成されている。
【００１４】
また、右側壁２ｃ寄りの第１底面３ａ上には、第１装着部３に挿入される後述する第１カード１２と共に後端部壁２ａ方向にスライド移動可能なスライド部材５と、このスライド部材５を手前側の前端部側に弾性付勢可能なコイルバネ６が配設されている。
また、第１装着部３の下部には、第１底面３ａの一部を凹ませて、第２底面７ａを有する第２装着部７が形成されている。この第２装着部７は、第１装着部３と同様に前方側が開放されて、この開放部分から後述する第２カード１３を挿入して装着可能になっている。
【００１５】
また、第２装着部７の最奥端には、後述する第２カード１３の前端部１３ａが当接可能な奥縁部７ｂが形成され、この奥縁部７ｂは、第１端子部材４の接触部４ａが位置する部分より若干前方側に形成されている。
即ち、第２装着部７の奥行き寸法は、第１装着部３より浅くなっている。
また、第２装着部７の幅寸法は、第１装着部３の幅寸法より小さく形成されている。そして、第２装着部７は、図３に示すように、第１装着部３の左側壁であるハウジング２の左側壁２ｂ側に偏って形成されている。
また、図２に示す第２装着部７の奥縁部７ｂの左側のコーナ部７ｃが面取り状に肉盛りされ、右側のコーナ部（図示せず）は略直角状に形成されて、奥縁部７ｂが左右非対称形状に形成されている。
【００１６】
また、第２装着部７の左右には、挿入される後述の第２カード１３を装着位置に案内するための一対のガイド部７ｄ、７ｄが、略Ｕ字状に形成されている。
前記一対のガイド部７ｄ、７ｄは、上下２段に形成された第１と第２装着部３、７の境界となっている。
また、第２装着部７の第２底面７ａには、後述する第２カード１３の接触部１３ｃと接触可能な複数の第２端子部材８が並設されている。この第２端子部材８は、第１端子部材４と同様に、弾性を有する金属材料かなり、一端部側が自由端状になって、挿入されてくる第２カード１３の接触部１３ｃに段接可能になっている。また、第２端子部材８は、他端部側が第２底面７ａを形成する底壁に埋設されている。
【００１７】
また、ハウジング２は、図３に示すように、第２装着部７を第１装着部３に対して左方向に偏らせて形成しているので、第２装着部７の右側が空きスペース２ｅとなっている。この空きスペース２ｅをハウジング２の裏面側から上方の第１底面３ａ側に所定量凹ませて凹部９を形成している。
即ち、ハウジング２は、第１装着部３の形成領域において、第２装着部７を形成した領域以外の裏面側を第１底面３ａ側に凹ませて凹部９が形成されている。
【００１８】
また、第１装着部３の上方には、金属板からなるカバー１０が配設されて第１装着部３の上方がカバー１０で覆われている。このカバー１０は、図１に示すように、２個の矩形状の開口部１０ａ、１０ａと、第１装着部３に装着した第１カード１２の上面に当接可能な舌片部１０ｂ、１０ｃとが形成されている。
このようなカバー１０は、図１に示すように、左右側端部を下方側に折り曲げて折り曲げ部１０ｄを形成し、この折り曲げ部１０ｄがハウジング２の左右の側壁２ｂ、２ｃにスナップ係合させて取り付けられている。
【００１９】
また、ハウジング２は、図３、４に示すように、裏面から下方に向けて突出する位置決め突起１１が形成されている。この位置決め突起１１は、本発明のカード用コネクタ装置１を情報機器側のプリント基板（図示せず）に実装するときの位置決め用となっている。
また、第１装着部３には、内部にＩＣ（集積回路）を埋設して、記録媒体として一般的に使用されている公知の、表面積の大きな第１カード部材１２が装着可能になっている。
【００２０】
前記第１カード部材１２は、図５に示すように前端部１２ａ寄りの一方の面で下面側には、内部のＩＣ（図示せず）に導通する複数の接触部１２ｂが露出して形成されている。
また、前端部１２ａの一方の角部１２ｃが斜めに切り欠きされて、前端部１２ａが非対称形状となっている。
そのために、第１カード１２を第１装着部３に挿入して装着すると、切り欠きされた隅部１２ｃが、スライド部材５の傾斜面５ａに当接するようになっている。　このことにより、第１装着部３に装着した第１カード１２の逆挿入を検出して防止するようになっている。
【００２１】
また、第２装着部７には、第１カード１２より表面積の小さい第２カード１３が装着可能になっており、この第２カード１３は、図６に示すように、前端部１３ａの一方の隅部１３ｂが斜めに切り欠きされて、前端部１３ａ側が非対称形状になっており、第１カード１２と同じように、逆挿入を防止するようになっている。
また、第２カード１３の一方の面には、内部のＩＣ（図示せず）に導通する複数の接触部１３ｃが露出して２列の整列形成されている。
このような第１、第２カード１２、１３は、第１、第２装着部３、７に装着することにより、内部のＩＣに情報の書き込み、あるいは読み出しが行えるようになっている。
【００２２】
前述したような構成の本発明のカード用コネクタ装置１は、ＰＣ等の情報機器側のプリント基板（図示せず）に、位置決め突起１１を位置合わせして実装されている。
そして、ハウジング２の空きスペース２ｅに形成した凹部９が位置する部分のプリント基板側には、チップ抵抗、チップコンデンサ、ＩＣ等の表面実装部品（図示せず）が実装可能になっている。
そのために、ＰＣ等の情報機器側のプリント基板の面積を小さくでき、情報機器を小型にできる。
【００２３】
そして、本発明のカード用コネクタ装置１では、第２装着部７を第１装着部３に対して左側壁２ｂ側に偏らせて形成しているので、空きスペース２ｅを大きく形成でき、大きな凹部９を形成できる。
そのために、凹部９が位置する部分のプリント基板に、多くの表面実装部品を実装することができる。
【００２４】
また、本発明の実施の形態では、第２装着部７を、左側壁２ｂ側に偏らせたもので説明したが、第２装着部７は、第１装着部３に対して偏らせない（図示せず）ものでも良い。
このような第２装着部７を偏らせないものは、第２装着部７の左右両側の２箇所に空きスペース２ｅを作ることができ、この２箇所の空きスペース２ｅに、それぞれ凹部９を形成することができるので、ＰＣ等の情報機器側の設計の自由度を上げることができる。
また、本発明では、第２装着部７を右側壁２ｃ側に偏らせたもの（図示せず）でも良い。即ち、第２装着部７は、左右の側壁２ｂ、２ｃのいずれか一方の側壁方向に偏らせて形成したものでも良い。
【００２５】
【発明の効果】
以上説明したように、本発明のカード用コネクタ装置は、大きさの異なる第１、第２カードを装着可能なハウジングを配設し、第２カードを装着可能な第２装着部には、第２底面に第２カードの接触部と接触可能な複数の第２端子部材を並設したので、大きさの異なる２種類のカードを上下２段の第１、第２装着部に装着できる。
そのために、本発明のカード用コネクタ装置を用いた情報機器側のプリント基板の実装面積を小さくでき、情報機器を小型化できる。
また、第２カードの接触部と第２端子部材との接触を確実に行うことができる。
【００２６】
また、ハウジングは、第１装着部の形成領域において、第２装着部を形成した領域以外の裏面側を凹ませて凹部を形成したので、本発明のカード用コネクタ装置を情報機器側のプリント基板に実装したときに、凹部が位置する部分のプリント基板に表面実装部品を実装することができ、プリント基板の実装面積を更に小さくできる。
【００２７】
また、第１装着部は、第１カードの挿入方向と平行形成した互いに対向する左右の側壁を有し、第２装着部は、左右の側壁のいずれか一方側に偏らせて形成したので、凹部を大きくすることができ、プリント基板の実装面積を小さくできる。
【００２８】
また、記第２カードは、第２装着部に挿入される前端部側を左右非対称形状に形成し、第２装着部は、前端部が当接する奥縁部を、第２カードの前端部の形状に対応して非対称形状に形成したので、第２カードの逆挿入を防止することができ、逆挿入による故障等の弊害をなくすることができる。
【００２９】
また、第２カードは、前端部のいずれか一方の角部を斜めに切り欠いたので、逆挿入防止構造の製造が容易である。
【００３０】
また、第２装着部は、装着される第２カードを案内するためのガイド部を形成したので、第２カードを第２装着部に挿入する時の操作性がよいカード用コネクタ装置を提供できる。
【図面の簡単な説明】
【図１】本発明のカード用コネクタ装置の斜視図である。
【図２】図１からカバーを取り外したハウジングの斜視図である。
【図３】図１の正面図である。
【図４】図１の４−４断面図である。
【図５】本発明に係わる第１カードの平面図と側面図である。
【図６】本発明に係わる第２カードの平面図と側面図である。
【符号の説明】
１　本発明のカード用コネクタ装置
２　ハウジング
２ａ　後端壁
２ｂ　左側壁
２ｃ　右側壁
３　第１装着部
３ａ　第１底面
４　第１端子部材
４ａ　接触部
４ｂ　端子部
５　スライド部材
６　コイルバネ
７　第２装着部
７ａ　第２底面
７ｂ　奥縁部
７ｃ　コーナ部
７ｄ　ガイド部
８　第２端子部材
９　凹部
１０　カバー
１１　位置決め突起
１２　第１カード
１３　第２カード
【図１】
2004031278.tif 000003
【図２】
2004031278.tif 000004
【図３】
2004031278.tif 000005
【図４】
2004031278.tif 000006
【図５】
2004031278.tif 000007
【図６】
2004031278.tif 000008